(57)【要約】【課題】太陽電池モジュールの発電量を増やす。【解決手段】太陽電池モジュール１は、第１方向Ｄ１および第１方向Ｄ１と直交する第２方向Ｄ２のそれぞれに沿って配置された複数の太陽電池セルＣ１１〜Ｃ７６を有する太陽電池モジュールであって、複数の太陽電池セルＣ１１〜Ｃ７６のうち第２方向Ｄ２に隣り合う太陽電池セルは、太陽電池セルの一部分が互いに重なっており、太陽電池モジュール１は、複数の太陽電池セルＣ１１〜Ｃ７６のうち第２方向Ｄ２に隣り合う複数の太陽電池セルによって構成される一方のセル群Ｇ１、および、一方のセル群Ｇ１と異なる他方のセル群Ｇ６を有し、一方のセル群Ｇ１の第２方向Ｄ２の長さＬａは、他方のセル群Ｇ６の第２方向Ｄ２の長さＬｃよりも長い。【選択図】図７
2020167282.tif 000002
【特許請求の範囲】
【請求項１】
第１方向および前記第１方向と直交する第２方向のそれぞれに沿って配置された複数の太陽電池セルを有する太陽電池モジュールであって、
前記複数の太陽電池セルのうち前記第２方向に隣り合う太陽電池セルは、前記太陽電池セルの一部分が互いに重なっており、
前記太陽電池モジュールは、複数の太陽電池セルのうち前記第２方向に隣り合う複数の太陽電池セルによって構成される一方のセル群、および、前記一方のセル群と異なる他方のセル群を有し、
前記一方のセル群の前記第２方向の長さは、前記他方のセル群の第２方向の長さよりも長い
太陽電池モジュール。
【請求項２】
前記一方のセル群内にて隣り合う太陽電池セルが互いに重なっている距離は、前記他方のセル群内にて隣り合う太陽電池セルが互いに重なっている距離よりも短い
請求項１に記載の太陽電池モジュール。
【請求項３】
前記一方のセル群の前記太陽電池セルの数は、前記他方のセル群の前記太陽電池セルの数と同じである
請求項２に記載の太陽電池モジュール。
【請求項４】
前記一方のセル群内にて隣り合う前記複数の太陽電池セルは、直列接続され、
前記他方のセル群内にて隣り合う前記複数の太陽電池セルは、直列接続され、
前記一方のセル群の当該複数の太陽電池セルと、前記他方のセル群の当該複数の太陽電池セルとは、電気的に並列接続されている
請求項１〜３のいずれか１項に記載の太陽電池モジュール。
【請求項５】
前記一方のセル群内にて隣り合う前記複数の太陽電池セルは、前記第１方向から見た場合に隣接する太陽電池セルの少なくとも一部が同じ曲率で湾曲しており、前記第２方向に沿って配置されたタブ配線によって接続されている
請求項１〜４のいずれか１項に記載の太陽電池モジュール。
【請求項６】
前記一方のセル群は、前記第１方向の一方端部に配置された複数の太陽電池セルで構成され、
前記他方のセル群は、前記第１方向の他方端部に配置された複数の太陽電池セルで構成される
請求項１〜５のいずれか１項に記載の太陽電池モジュール。
【請求項７】
さらに、前記複数の太陽電池セルを内包する板状のパネルを備え、
前記一方端部側における前記パネルの前記第２方向の長さは、前記他方端部側における前記パネルの第２方向の長さよりも長い
請求項６に記載の太陽電池モジュール。
【発明の詳細な説明】
【技術分野】
【０００１】
本発明は、複数の太陽電池セルを備える太陽電池モジュールに関する。
【背景技術】
【０００２】
光エネルギーを電気エネルギーに変換する光電変換装置として、太陽電池モジュールの開発が進められている。太陽電池モジュールは、無尽蔵の太陽光を直接電気に変換できることから、また、化石燃料による発電と比べて環境負荷が小さくクリーンであることから、新しいエネルギー源として期待されている。
【０００３】
太陽電池モジュールは、行方向および列方向に配置された複数の太陽電池セルによって構成される。このような太陽電池モジュールの一例として、特許文献１には、自動車のルーフに配置された複数の太陽電池セルを有する太陽電池モジュールが開示されている。
【先行技術文献】
【特許文献】
【０００４】
【特許文献１】特開２０１２−３３５７３号公報
【発明の概要】
【発明が解決しようとする課題】
【０００５】
自動車のルーフを上から見た形状は、必ずしも長方形状ではなく、例えば台形状でフロントに近くなるほど幅広になっていることがある。この台形状のルーフに対し、最外周が長方形状となるように複数の太陽電池セルが配置されると、フロントの両側において太陽電池セルが配置されない空きスペースができてしまう。そのため、スペースを有効活用できず、太陽電池モジュールの発電量を増やすことができないという問題がある。
【０００６】
そこで本発明は、上記課題を解決するためになされたものであって、発電量を増やすことができる太陽電池モジュールを提供することを目的とする。
【課題を解決するための手段】
【０００７】
上記課題を解決するために、本発明に係る太陽電池モジュールは、第１方向および前記第１方向と直交する第２方向のそれぞれに沿って配置された複数の太陽電池セルを有する太陽電池モジュールであって、前記複数の太陽電池セルのうち前記第２方向に隣り合う太陽電池セルは、前記太陽電池セルの一部分が互いに重なっており、前記太陽電池モジュールは、複数の太陽電池セルのうち前記第２方向に隣り合う複数の太陽電池セルによって構成される一方のセル群、および、前記一方のセル群と異なる他方のセル群を有し、前記一方のセル群の前記第２方向の長さは、前記他方のセル群の第２方向の長さよりも長い。
【発明の効果】
【０００８】
太陽電池モジュールの発電量を増やすことができる。
【図面の簡単な説明】
【０００９】
【図１】実施の形態に係る太陽電池モジュールの概観平面図である。
【図２】実施の形態に係る太陽電池セルの平面図である。
【図３】実施の形態に係る太陽電池セルの積層構造を表す断面図である。
【図４】実施の形態に係る太陽電池モジュールの列方向における構造断面図である。
【図５Ａ】比較例に係る太陽電池モジュールの太陽電池セルの配置例を示す図である。
【図５Ｂ】図５Ａに示す太陽電池モジュールの平面図である。
【図６】実施の形態に係る太陽電池モジュールの太陽電池セルの配置例を模式的に示す図である。
【図７】実施の形態に係る太陽電池モジュールの太陽電池セルの接続例を模式的に示す図である。
【図８Ａ】実施の形態に係る太陽電池モジュールを図７に示すＶＩＩＩＡ−ＶＩＩＩＡ線で切断した場合の断面図である。
【図８Ｂ】実施の形態に係る太陽電池モジュールを図７に示すＶＩＩＩＢ−ＶＩＩＩＢ線で切断した場合の断面図である。
【図８Ｃ】実施の形態に係る太陽電池モジュールを図７に示すＶＩＩＩＣ−ＶＩＩＩＣ線で切断した場合の断面図である。
【図９】図８Ａに示す太陽電池モジュールのＩＸ部分の拡大図である。
【発明を実施するための形態】
【００１０】
以下では、本発明の実施の形態について、図面を用いて詳細に説明する。以下に説明する実施の形態は、いずれも本発明の好ましい一具体例を示すものである。したがって、以下の実施の形態で示される数値、形状、材料、構成要素、構成要素の配置および接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
各図は、模式図であり、必ずしも厳密に図示されたものではない。また、各図において、同じ構成部材については同じ符号を付している。
【００１２】
（実施の形態）
まず、太陽電池モジュールの構成について図１〜図４を参照しながら説明する。
【００１３】
［１．太陽電池モジュールの構成］
図１は、太陽電池モジュール１の概観平面図である。
【００１４】
図１に示すように、太陽電池モジュール１は、複数の太陽電池セル１１、タブ配線２０およびわたり配線３０を含むパネル１４と、枠体１５とを備える。
【００１５】
太陽電池セル１１は、太陽電池モジュール１の受光面に２次元状に配置され、光照射により電力を発生する平板状の光起電力素子である。タブ配線２０は、太陽電池セル１１の表面に配置され、列方向に隣り合う太陽電池セル１１を電気的に接続する配線部材である。わたり配線３０は、太陽電池ストリングどうしを電気的に接続する配線部材である。なお、太陽電池ストリングとは、列方向に配置されタブ配線２０により接続された複数の太陽電池セル１１の集合体である。パネル１４は、板状であり、２次元配列された複数の太陽電池セル１１、タブ配線２０およびわたり配線３０を内包している。枠体１５は、パネル１４の外周部を覆う外枠部材である。
【００１６】
図２は、太陽電池セル１１の平面図である。
【００１７】
図２に示すように、太陽電池セル１１は、平面視において略正方形状である。太陽電池セル１１は、例えば、縦１２５ｍｍ×横１２５ｍｍ×厚み２００μｍである。また、太陽電池セル１１の表面上には、ストライプ状の複数のバスバー電極１１２が互いに平行に形成され、バスバー電極１１２と直交するようにストライプ状の複数のフィンガー電極１１１が互いに平行に形成されている。バスバー電極１１２およびフィンガー電極１１１は、集電極１１０を構成する。
【００１８】
バスバー電極１１２の線幅は、例えば１５０μｍであり、フィンガー電極１１１の線幅は、例えば１００μｍであり、フィンガー電極１１１のピッチは、例えば２ｍｍである。また、バスバー電極１１２の上には、タブ配線２０が接合される。
【００１９】
図３は、太陽電池セル１１の積層構造を表す断面図である。なお、同図は、図２における太陽電池セル１１のＩＩＩ−ＩＩＩ断面図である。
【００２０】
太陽電池セル１１は、板状の形状であり、互いに平行な表面１１ａおよび裏面１１ｂを有している。本実施の形態では、表面１１ａ側が主な受光面となっている。
【００２１】
図３に示すように、ｎ型単結晶シリコンウエハ１０１の主面上にｉ型非晶質シリコン膜１２１およびｐ型非晶質シリコン膜１２２が、この順で形成されている。ｎ型単結晶シリコンウエハ１０１、ｉ型非晶質シリコン膜１２１およびｐ型非晶質シリコン膜１２２は、光電変換層を形成し、ｎ型単結晶シリコンウエハ１０１が主たる発電層となる。さらに、ｐ型非晶質シリコン膜１２２上に、受光面電極１０２が形成されている。図２に示したように、受光面電極１０２上には、複数のバスバー電極１１２および複数のフィンガー電極１１１からなる集電極１１０が形成されている。なお、図３では、集電極１１０のうち、フィンガー電極１１１のみが示されている。
【００２２】
また、ｎ型単結晶シリコンウエハ１０１の裏面には、ｉ型非晶質シリコン膜１２３およびｎ型非晶質シリコン膜１２４が、この順で形成されている。さらに、ｎ型非晶質シリコン膜１２４上に、受光面電極１０３が形成され、受光面電極１０３上に、複数のバスバー電極１１２および複数のフィンガー電極１１１からなる集電極１１０が形成されている。
【００２３】
受光面電極１０２および１０３は、例えば、ＩＴＯ（インジウム錫酸化物）、ＳｎＯ２（酸化錫）、ＺｎＯ（酸化亜鉛）などからなる透明電極である。なお、太陽電池セル１１は、片面受光型であってもよいし、両面受光型であってもよい。太陽電池セル１１の種類は、特に限定されない。太陽電池セル１１は、例えば、多結晶系半導体、薄膜系半導体等、種々の半導体材料を用いて構成することができる。
【００２４】
図４は、太陽電池モジュール１の列方向における構造断面図である。具体的には、図４は、図１の太陽電池モジュール１におけるＩＶ−ＩＶ断面図である。
【００２５】
図４に示すように、太陽電池モジュール１は、表面および裏面に集電極１１０が形成された太陽電池セル１１と、タブ配線２０と、充填部材１７０と、表面保護部材１８０および裏面保護部材１９０とを備える。
【００２６】
タブ配線２０は、長尺状の導電性配線であって、例えば、リボン状の金属箔である。タブ配線２０の一端部の下面は、一方の太陽電池セル１１の表面側のバスバー電極１１２（図２参照）に、バスバー電極１１２の長尺方向に沿って接合される。また、タブ配線２０の他端部の上面は、他方の太陽電池セル１１の裏面側のバスバー電極に、バスバー電極１１２の長尺方向に沿って接合される。これにより、列方向に配置された複数の太陽電池セル１１からなる太陽電池ストリングは、当該複数の太陽電池セル１１が列方向に直列接続された構成となっている。
【００２７】
タブ配線２０とバスバー電極１１２（図２参照）とは、樹脂と導電性粒子とを含む導電性接着剤または半田等により接合される。つまり、導電性接着剤または半田等は、バスバー電極１１２とタブ配線２０とが受光面を平面視した場合に重なるように、バスバー電極１１２とタブ配線２０とを接合する。これにより、タブ配線２０は、導電性接着剤または半田等を介して太陽電池セル１１に電気的および機械的に接続される。
【００２８】
これらの構成により、太陽電池セル１１で生成された受光電荷は、フィンガー電極１１１、バスバー電極１１２、タブ配線２０、および、わたり配線３０を経由して外部に出力される。
【００２９】
［２．比較例および実施の形態の太陽電池モジュールの対比］
次に、比較例の太陽電池モジュール５０１および本実施の形態の太陽電池モジュール１を対比して説明する。
【００３０】
図５Ａは、比較例に係る太陽電池モジュール５０１の太陽電池セル５１１の配置例を示す図である。図５Ｂは、図５Ａに示す太陽電池モジュール５０１の平面図である。図６は、実施の形態に係る太陽電池モジュール１の太陽電池セル１１の配置例を模式的に示す図である。なお、図５Ａおよび図６では、太陽電池セル５１１、１１、パネル１４および枠体１５の厚みの図示を省略している。これらの図では、自動車２００の前後方向が前述した行方向（図１参照）となり、幅方向が列方向となっている。
【００３１】
図５Ａ〜図６に示すように、自動車２００のルーフ１６は、ルーフ１６を上から見た場合に台形状であり、後方よりも前方のほうが幅広になっている。太陽電池モジュール５０１または１は、自動車２００のルーフ１６上に設置される。
【００３２】
図５Ａおよび図５Ｂに示す比較例のように、複数の太陽電池セル５１１が配置されると、ルーフ１６の両側端部および隣り合う太陽電池セル５１１間において、太陽電池セル５１１が配置されない空きスペースができてしまう。そして、列方向の太陽電池セルの枚数を前方と後方とでそろえると、前方側の列方向のトータルの空きスペースは、後方側の列方向のトータルの空きスペースに比べてより大きくなる。そのため、列方向の太陽電池セルの枚数を前方と後方とでそろえようとすると、比較例の太陽電池モジュール５０１ではルーフ１６上のスペースを有効活用することができず、発電量を増やすことができない。
【００３３】
それに対し図６に示すように、本実施の形態の太陽電池モジュール１では、複数の太陽電池セルＣ１１、Ｃ１２、Ｃ２１のうち、列方向に隣り合う太陽電池セルＣ１１、Ｃ２１は、太陽電池セルＣ１１、Ｃ２１の一部分が互いに重なっている。また、行方向に並ぶ太陽電池セルＣ１１、Ｃ１２が、ルーフ１６の外周形状に合わせて配置されている。これにより、実施の形態の太陽電池モジュール１では、ルーフ１６上のスペースを有効活用することができ、発電量を増やすことができる。
【００３４】
なお、太陽電池モジュール１は、自動車２００のルーフ１６に限られず、列車、船または建物の屋根の上に設置されてもよい。また、上記では、複数の太陽電池セル１１がルーフ１６に対して配置される例を示したが、それに限られない。例えば、太陽電池モジュール１を覆うようにカバーガラス等の透明体が設けられる場合、太陽電池セル１１は、この透明体に対して配置されてもよい。
【００３５】
［３．太陽電池モジュールの具体的構成］
次に、太陽電池モジュール１の具体的構成について、図７〜図９を参照しながら説明する。
【００３６】
図７は、太陽電池モジュール１の太陽電池セルの接続例を模式的に示す図である。図７の（ａ）は、太陽電池モジュール１の平面図であり、図７の（ｂ）は、太陽電池モジュール１を図７の（ａ）に示すＶＩＩｂ−ＶＩＩｂ線で切断した場合の断面図である。なお、図７の（ｂ）では、配線、充填部材、保護部材等の図示が省略されている。
【００３７】
図７の（ａ）および（ｂ）に示すように、太陽電池モジュール１は、パネル１４内に配置された複数の太陽電池セルＣ１１〜Ｃ７６を有している。図７の（ａ）における破線は、各太陽電池セルＣ１１〜Ｃ７６の接続経路を示している。なお、各太陽電池セルＣ１１〜Ｃ７６は、前述した太陽電池セル１１に相当する。
【００３８】
ここで、太陽電池モジュール１を平面視して、所定の方向を第１方向Ｄ１とし、第１方向Ｄ１に直交する方向を第２方向Ｄ２とする。第１方向Ｄ１は、前述した行方向に相当し、第２方向Ｄ２は、前述した列方向に相当する。
【００３９】
太陽電池モジュール１は、第１方向Ｄ１に沿って順に配置されたセル群Ｇ１〜Ｇ６を有している。各セル群Ｇ１〜Ｇ６は、複数の太陽電池セルのグループによって構成されている。各セル群Ｇ１〜Ｇ６が有する太陽電池セルの数は、同じである。セル群Ｇ１〜Ｇ６間の太陽電池セルは、電気的に並列接続されている。また、各セル群Ｇ１〜Ｇ６内にて隣り合う太陽電池セルは、直列接続されている。
【００４０】
より具体的には、セル群Ｇ１は、以下の順で直列接続された複数の太陽電池セルＣ１１、Ｃ２１、Ｃ３１、Ｃ４１、Ｃ５１、Ｃ６１およびＣ７１によって構成されている。例えば、第２方向Ｄ２に隣り合う太陽電池セルＣ３１、Ｃ４１は、タブ配線２０ａによって直列接続され、わたり配線３０ａ、３０ｂのそれぞれに電気的に接続されている。
【００４１】
セル群Ｇ２は、以下の順で直列接続された複数の太陽電池セルＣ１２、Ｃ２２、Ｃ３２、Ｃ４２、Ｃ５２、Ｃ６２およびＣ７２によって構成されている。例えば、第２方向Ｄ２に隣り合う太陽電池セルＣ３２、Ｃ４２は、タブ配線２０ｂによって直列接続され、わたり配線３０ａ、３０ｂのそれぞれに電気的に接続されている。
【００４２】
セル群Ｇ３は、以下の順で直列接続された複数の太陽電池セルＣ１３、Ｃ２３、Ｃ３３、Ｃ４３、Ｃ５３、Ｃ６３およびＣ７３によって構成されている。例えば、第２方向Ｄ２に隣り合う太陽電池セルＣ３３、Ｃ４３は、タブ配線２０ｃによって直列接続され、わたり配線３０ａ、３０ｂのそれぞれに電気的に接続されている。
【００４３】
セル群Ｇ４は、以下の順で直列接続された複数の太陽電池セルＣ１４、Ｃ２４、Ｃ３４、Ｃ４４、Ｃ５４、Ｃ６４およびＣ７４によって構成されている。例えば、第２方向Ｄ２に隣り合う太陽電池セルＣ３４、Ｃ４４は、タブ配線２０ｄによって直列接続され、わたり配線３０ａ、３０ｂのそれぞれに電気的に接続されている。
【００４４】
セル群Ｇ５は、以下の順で直列接続された複数の太陽電池セルＣ１５、Ｃ２５、Ｃ３５、Ｃ４５、Ｃ５５、Ｃ６５およびＣ７５によって構成されている。例えば、第２方向Ｄ２に隣り合う太陽電池セルＣ３５、Ｃ４５は、タブ配線２０ｅによって直列接続され、わたり配線３０ａ、３０ｂのそれぞれに電気的に接続されている。
【００４５】
セル群Ｇ６は、以下の順で直列接続された複数の太陽電池セルＣ１６、Ｃ２６、Ｃ３６、Ｃ４６、Ｃ５６、Ｃ６６およびＣ７６によって構成されている。例えば、第２方向Ｄ２に隣り合う太陽電池セルＣ３６、Ｃ４６は、タブ配線２０ｆによって直列接続され、わたり配線３０ａ、３０ｂのそれぞれに電気的に接続されている。
【００４６】
このように、太陽電池モジュール１は、直列接続されている太陽電池セルおよび並列接続されている太陽電池セルの両方の接続構造を有している。
【００４７】
また、太陽電池モジュール１は、複数の太陽電池セルＣ１１〜Ｃ７６のうち、第２方向Ｄ２に隣り合う複数の太陽電池セルによって構成される一方のセル群、および、一方のセル群と異なる他方のセル群を有している。一方のセル群は、例えば、上記のセル群Ｇ１であり、第１方向Ｄ１の一方端部に配置された複数の太陽電池セルＣ１１、Ｃ２１、Ｃ３１、Ｃ４１、Ｃ５１、Ｃ６１、Ｃ７１で構成される。他方のセル群は、例えば、上記のセル群Ｇ６であり、第１方向Ｄ１の他方端部（第１方向Ｄ１において一方端部とは反対側の端部）に配置された複数の太陽電池セルＣ１６、Ｃ２６、Ｃ３６、Ｃ４６、Ｃ５６、Ｃ６６、Ｃ７６で構成される。
【００４８】
図７の（ａ）に示すように、パネル１４は、平面視して台形状の形状を有しており、一方端部側から他方端部側に向かうにしたがって、第２方向Ｄ２の長さが短くなっている。具体的には、一方端部側におけるパネル１４の第２方向Ｄ２の長さＬＰａは、他方端部側におけるパネル１４の第２方向Ｄ２の長さＬＰｂよりも長い。
【００４９】
本実施の形態では、複数の太陽電池セルＣ１１〜Ｃ７６が、台形状のパネル１４に対応して配置される。そのため、一方のセル群Ｇ１の第２方向Ｄ２の長さＬａは、他方のセル群Ｇ６の第２方向Ｄ２の長さＬｃよりも長くなっている。また、一方のセル群Ｇ１と他方のセル群Ｇ６との間に位置するセル群Ｇ４の第２方向Ｄ２の長さＬｂは、長さＬａよりも短く、長さＬｃよりも長くなっている。このように太陽電池モジュール１では、パネル１４の形状に合わせ、各セル群Ｇ１、Ｇ４、Ｇ６の長さが設定されている。
【００５０】
次に、太陽電池モジュール１を断面視した場合の太陽電池セルの配置構造について、図８Ａ〜図９を参照しながら説明する。
【００５１】
図８Ａは、太陽電池モジュール１を図７に示すＶＩＩＩＡ−ＶＩＩＩＡ線で切断した場合の断面図である。図８Ｂは、太陽電池モジュール１を図７に示すＶＩＩＩＢ−ＶＩＩＩＢ線で切断した場合の断面図である。図８Ｃは、太陽電池モジュール１を図７に示すＶＩＩＩＣ−ＶＩＩＩＣ線で切断した場合の断面図である。図９は、図８Ａに示す太陽電池モジュール１のＩＸ部分の拡大図である。なお、図８Ａ〜図８Ｃでは、配線、充填部材、保護部材等の図示が省略されている。
【００５２】
図８Ａに示すように、第２方向Ｄ２に隣り合う太陽電池セルＣ１１、Ｃ２１、Ｃ３１、Ｃ４１、Ｃ５１、Ｃ６１、Ｃ７１は、パネル１４内に配置されている。パネル１４は、第１方向Ｄ１から見た場合、少なくとも一部が湾曲状の形状を有しており、上記太陽電池セルは、第２方向Ｄ２から見た場合、パネル１４の湾曲形状に沿って湾曲している。また、上記太陽電池セルＣ１１、Ｃ２１、Ｃ３１、Ｃ４１、Ｃ５１、Ｃ６１、Ｃ７１は、第１方向Ｄ１から見た場合に、隣接する太陽電池セルの少なくとも一部が同じ曲率で湾曲している。隣り合う太陽電池セルの表面１１ａおよび裏面１１ｂの全面が同じ曲率となっている必要はなく、少なくとも隣り合う太陽電池セルの互いに重なっている面が、同じ曲率となっていればよい。
【００５３】
また、図９に示すように、例えば太陽電池セルＣ１１、Ｃ２１は、第２方向Ｄ２に沿って配置されたタブ配線２０ａによって接続されている。具体的には、タブ配線２０ａが、湾曲形状をした太陽電池セルＣ１１の表面１１ａに平行に配置され、タブ配線２０ａの下面が、太陽電池セルＣ１１の表面１１ａに接合され、タブ配線２０ａの上面が、太陽電池セルＣ２１の裏面１１ｂに接合されている。これにより、太陽電池セルＣ１１、Ｃ２１からなる太陽電池ストリングが形成されている。
【００５４】
また、図８Ａ〜図８Ｃに示すように、複数の太陽電池セルＣ１１〜Ｃ７６のうち第２方向Ｄ２に隣り合う太陽電池セルは、太陽電池セルの受光面である表面１１ａ、および、裏面１１ｂの一部分が互いに重なっている。具体的には、第２方向Ｄ２に隣り合う全ての太陽電池セルＣ１１〜Ｃ７６が、間隔をあけて配置されるのでなく、重なり部分を有するように配置されている。なお、重なるとは、直接的に重なっている場合に限られず、タブ配線またはわたり配線等を介して間接的に重なっている場合も含む。
【００５５】
また、太陽電池モジュール１では、この重なり部分について以下の関係を有している。具体的には、一方のセル群Ｇ１内にて隣り合う太陽電池セルＣ１１、Ｃ２１が互いに重なっている距離ｄａは、他方のセル群Ｇ６内にて隣り合う太陽電池セルＣ１６、Ｃ２６が互いに重なっている距離ｄｃよりも短い。また、セル群Ｇ４内にて隣り合う太陽電池セルＣ１４、Ｃ２４が互いに重なっている距離ｄｂは、距離ｄａより長く、距離ｄｃよりも短い。言い換えれば、セル群Ｇ１は、セル群Ｇ６よりも、太陽電池セルの受光面の合計面積が大きい。また、セル群Ｇ４は、セル群Ｇ１よりも太陽電池セルの受光面の合計面積が小さく、セル群Ｇ６よりも太陽電池セルの受光面の合計面積が大きい。
【００５６】
このように、太陽電池モジュール１では、第２方向Ｄ２に隣り合う太陽電池セルが重なって配置されることで、第２方向Ｄ２に敷き詰めて配置される太陽電池セルの数を増やすことができ、また、複数の太陽電池セルの受光面積を増やすことができる。
【００５７】
［４．効果等］
本実施の形態に係る太陽電池モジュール１は、第１方向Ｄ１および第１方向Ｄ１と直交する第２方向Ｄ２のそれぞれに沿って配置された複数の太陽電池セルＣ１１〜Ｃ７６を有する太陽電池モジュールであって、複数の太陽電池セルＣ１１〜Ｃ７６のうち第２方向Ｄ２に隣り合う太陽電池セルは、太陽電池セルの一部分が互いに重なっている。太陽電池モジュール１は、複数の太陽電池セルＣ１１〜Ｃ７６のうち第２方向Ｄ２に隣り合う複数の太陽電池セルによって構成される一方のセル群Ｇ１、および、一方のセル群Ｇ１と異なる他方のセル群（例えばセル群Ｇ６）を有し、一方のセル群Ｇ１の第２方向Ｄ２の長さＬａは、他方のセル群Ｇ６の第２方向Ｄ２の長さＬｃよりも長い。
【００５８】
このように、隣り合う太陽電池セルの一部分を互いに重ね、一方のセル群Ｇ１の長さＬａおよび他方のセル群Ｇ６の長さＬｃのそれぞれの長さに合わせ、第２方向Ｄ２に複数の太陽電池セルを敷き詰めて配置することで、複数の太陽電池セルの受光面積を増やすことができ、太陽電池モジュール１の発電量を増やすことができる。
【００５９】
また、一方のセル群Ｇ１内にて隣り合う太陽電池セルが互いに重なっている距離ｄａは、他方のセル群Ｇ６内にて隣り合う太陽電池セルが互いに重なっている距離ｄｃよりも短くてもよい。
【００６０】
このように、隣り合う太陽電池セルの重なっている距離を変えることで、各セル群Ｇ１、Ｇ６のそれぞれの長さＬａ、Ｌｃに合わせ、第２方向Ｄ２に複数の太陽電池セルを敷き詰めて配置することができる。これにより、複数の太陽電池セルの受光面積を増やすことができ、太陽電池モジュール１の発電量を増やすことができる。
【００６１】
また、一方のセル群Ｇ１の太陽電池セルの数は、他方のセル群Ｇ６の太陽電池セルの数と同じであってもよい。
【００６２】
この構成によれば、セル群Ｇ１の電圧およびセル群Ｇ６の電圧がほぼ等しくなり、並列することが可能となる。
【００６３】
また、一方のセル群Ｇ１内にて隣り合う複数の太陽電池セルは、直列接続され、他方のセル群Ｇ６内にて隣り合う複数の太陽電池セルは、直列接続され、一方のセル群Ｇ１の上記複数の太陽電池セルと、他方のセル群Ｇ６の上記複数の太陽電池セルとは、電気的に並列接続されていてもよい。
【００６４】
このように、セル群Ｇ１およびセル群Ｇ６が並列接続されることで、相手のセル群の電流値に律速されて自身のセル群の電流値が低下することを抑制できる。これにより、太陽電池モジュール１の発電量が低下することを抑制できる。
【００６５】
また、セル群Ｇ１とセル群Ｇ６とが並列接続されることで、セル群Ｇ１とセル群Ｇ６とが直列接続されている場合に比べて、バイパスダイオードの数を減らすことができる。
【００６６】
また、一方のセル群Ｇ１内にて隣り合う複数の太陽電池セル（例えば太陽電池セルＣ１１、Ｃ２１）は、第１方向Ｄ１から見た場合に隣接する太陽電池セルＣ１１、Ｃ２１の少なくとも一部が同じ曲率で湾曲しており、第２方向Ｄ２に沿って配置されたタブ配線２０ａによって接続されていてもよい。
【００６７】
このように、例えば、隣り合う太陽電池セルＣ１１、Ｃ２１の曲率の少なくとも一部を同じにすることで、太陽電池セルＣ１１、Ｃ２１を揃えて重ねることができ、タブ配線２０ａの長さを短くすることができる。これにより、タブ配線２０ａの配線ロスを低減することができ、太陽電池モジュール１の発電量が低下することを抑制できる。
【００６８】
また、一方のセル群Ｇ１は、第１方向Ｄ１の一方端部に配置された複数の太陽電池セルＣ１１、Ｃ２１、Ｃ３１、Ｃ４１、Ｃ５１、Ｃ６１、Ｃ７１で構成され、他方のセル群Ｇ６は、第１方向Ｄ１の他方端部に配置された複数の太陽電池セルＣ１６、Ｃ２６、Ｃ３６、Ｃ４６、Ｃ５６、Ｃ６６、Ｃ７６で構成されていてもよい。
【００６９】
この構成によれば、一方のセル群Ｇ１および他方のセル群Ｇ６のそれぞれの長さＬａ、Ｌｃに合わせ、第２方向Ｄ２に複数の太陽電池セルを敷き詰めて配置することができる。これにより、複数の太陽電池セルの受光面積を増やすことができ、太陽電池モジュール１の発電量を増やすことができる。
【００７０】
また、太陽電池モジュール１は、さらに、複数の太陽電池セルを内包する板状のパネル１４を備え、上記一方端部側におけるパネル１４の第２方向Ｄ２の長さＬＰａは、上記他方端部側におけるパネル１４の第２方向Ｄ２の長さＬＰｂよりも長くてもよい。
【００７１】
このように、パネル１４の第２方向Ｄ２の長さが、他方端部側よりも一方端部側のほうが長い場合であっても、パネル１４の第２方向Ｄ２の長さに合わせて太陽電池セルを敷き詰めて配置することができる。これにより、太陽電池セルを配置するスペースを有効活用することができる。そのため、複数の太陽電池セルの受光面積を増やすことができ、太陽電池モジュール１の発電量を増やすことができる。
【００７２】
（その他の実施の形態）
以上、本発明に係る太陽電池モジュール１について、実施の形態に基づいて説明したが、本発明は、上記の実施の形態に限定されるものではない。
【００７３】
本実施の形態では、一方のセル群Ｇ１および他方のセル群Ｇ６を代表例に挙げて説明したが、一方のセル群および他方のセル群の組み合わせはこれに限られない。例えばセル群Ｇ１〜Ｇ６のうち、第２方向Ｄ２の長さが長いセル群を一方のセル群とし、それよりも第２方向Ｄ２の長さが短いセル群を他方のセル群としても同様のことがいえる。
【００７４】
例えば、実施の形態では、太陽電池モジュール１が６つのセル群Ｇ１〜Ｇ６で構成されている例を示したが、それに限られず、３つのセル群Ｇ１、Ｇ２およびＧ３によって構成されてもよい。具体的には、セル群Ｇ１が、以下の順で直列接続された複数の太陽電池セルＣ１１、Ｃ２１、Ｃ３１、Ｃ４１、Ｃ５１、Ｃ６１、Ｃ７１、Ｃ７２、Ｃ６２、Ｃ５２、Ｃ４２、Ｃ３２、Ｃ２２およびＣ１２で構成され、セル群Ｇ２が、以下の順で直列接続された複数の太陽電池セルＣ１３、Ｃ２３、Ｃ３３、Ｃ４３、Ｃ５３、Ｃ６３、Ｃ７３、Ｃ７４、Ｃ６４、Ｃ５４、Ｃ４４、Ｃ３４、Ｃ２４およびＣ１４で構成され、セル群Ｇ３が、以下の順で直列接続された複数の太陽電池セルＣ１５、Ｃ２５、Ｃ３５、Ｃ４５、Ｃ５５、Ｃ６５、Ｃ７５、Ｃ７６、Ｃ６６、Ｃ５６、Ｃ４６、Ｃ３６、Ｃ２６およびＣ１６で構成され、セル群Ｇ１、Ｇ２およびセル群Ｇ３が電気的に並列接続されていてもよい。この場合、セル群Ｇ１を一方のセル群とし、セル群Ｇ３を他方のセル群としてもよい。
【００７５】
例えば、太陽電池モジュールは、移動体、例えば自動車（四輪車に限られず、二輪車、三輪車であってもよい）、自転車（電動アシスト自転車等）、電車、または船舶などに搭載されてもよい。自動車の例としては、車両駆動用のモーターを備えた電気またはハイブリッド自動車が挙げられる。
【００７６】
その他、上記実施の形態および変形例に対して当業者が思いつく各種変形を施して得られる形態や、本発明の趣旨を逸脱しない範囲で実施の形態および変形例における構成要素および機能を任意に組み合わせることで実現される形態も本発明に含まれる。
【符号の説明】
【００７７】
１      太陽電池モジュール
１１、Ｃ１１〜Ｃ１６、Ｃ２１〜Ｃ２６、Ｃ３１〜Ｃ３６、Ｃ４１〜Ｃ４６、Ｃ５１〜Ｃ５６、Ｃ６１〜Ｃ６６、Ｃ７１〜Ｃ７６  太陽電池セル
１４    パネル
２０、２０ａ、２０ｂ、２０ｃ、２０ｄ、２０ｅ、２０ｆ  タブ配線
Ｄ１    第１方向
Ｄ２    第２方向
ｄａ、ｄｂ、ｄｃ  距離
Ｇ１、Ｇ２、Ｇ３、Ｇ４、Ｇ５、Ｇ６  セル群
Ｌａ、Ｌｂ、Ｌｃ  セル群の長さ
ＬＰａ、ＬＰｂ  パネルの長さ
【図１】
2020167282.tif 000003
【図２】
2020167282.tif 000004
【図３】
2020167282.tif 000005
【図４】
2020167282.tif 000006
【図５Ａ】
2020167282.tif 000007
【図５Ｂ】
2020167282.tif 000008
【図６】
2020167282.tif 000009
【図７】
2020167282.tif 000010
【図８Ａ】
2020167282.tif 000011
【図８Ｂ】
2020167282.tif 000012
【図８Ｃ】
2020167282.tif 000013
【図９】
2020167282.tif 000014